【手続補正書】
【提出日】平成17年11月17日(2005.11.17)
【手続補正１】
【補正対象書類名】明細書
【補正対象項目名】特許請求の範囲
【補正方法】変更
【補正の内容】
【特許請求の範囲】
【請求項１】
アクリル酸及び／又はその塩を主成分とする親水性単量体と、アクリル酸及びその塩の合計量に対して３０モル％以下の他の単量体とを共重合して得られた架橋構造を有する吸水性樹脂を主成分とする粉末の吸水剤であって、
上記吸水性樹脂は多価アルコール０．０１〜１０重量部（対吸水性樹脂の固形分１００重量部）にて、その樹脂表面が被覆ないしは架橋処理されており、
且つ該吸収剤の０．９重量％塩化ナトリウム水溶液中でのｐＨが５．５以下であり、０．９重量％塩化ナトリウム水溶液に対する２０ｇ／ｃｍ２での加圧下吸収倍率（６０分値）が２５ｇ／ｇ以上であり、０．９重量％塩化ナトリウム水溶液に対する常圧吸水能（６０分値）が２５ｇ／ｇ以上である粉末の吸水剤。
【請求項２】
吸水剤が重量平均粒子径１００〜１０００μｍの粉末であり、且つ相対湿度６０％／温度２５℃／２時間放置での粉末のブロッキング率が５０重量％以下である請求項１記載の吸水剤。
【請求項３】
（１）０．９重量％塩化ナトリウム水溶液に対する５０ｇ／ｃｍ２での加圧下吸収倍率（６０分値）が２０ｇ／ｇ以上、
（２）硫酸ナトリウム０．２重量％、塩化カリウム０．２重量％、塩化マグネシウム６水和物０．０５重量％、塩化カルシウム２水和物０．０２５重量％、燐酸二水素アンモニウム０．０８５重量％、及び燐酸水素二アンモニウム０．０１５重量％をイオン交換水に溶解させた人工尿に対する５０ｇ／ｃｍ２での加圧下吸収倍率（６０分値）が２５ｇ／ｇ以上、
（３）残存モノマーが３００ｐｐｍ以下、
の（１）〜（３）の全ての要件を満足する請求項１または２記載の吸水剤。
【請求項４】
アクリル酸及び／又はその塩を主成分とする親水性単量体と、アクリル酸及びその塩の合計量に対して３０モル％以下の他の単量体とを共重合して得られた架橋構造を有する吸水性樹脂を主成分とする粉末の吸水剤の製造方法であって、
０．９重量％塩化ナトリウム水溶液中でのｐＨが５．５以下の酸性吸水性樹脂の表面近傍を、多価アルコール０．０１〜１０重量部（対吸水性樹脂の固形分１００重量部）を含む表面架橋剤組成物で被覆した後に加熱処理して架橋し、０．９重量％塩化ナトリウム水溶液に対する２０ｇ／ｃｍ2での加圧下吸収倍率（６０分値）を２５ｇ／ｇ以上とする粉末の吸水剤の製造方法。
【請求項５】
前記表面架橋剤組成物が多価アルコール以外にさらに、１００重量部の酸性吸水性樹脂固形分に対して２０重量部以下の水を含み、且つ前記加熱処理温度が８０℃以上である請求項４記載の製造方法。
【請求項６】
表面架橋剤組成物が、多価アルコール以外の他の表面架橋剤をさらに含む請求項４または５記載の製造方法。
【請求項７】
請求項１〜３の何れか１項に記載の吸水剤を含む吸収性物品であって、吸水剤および繊維基材を含む吸収層、透液性を有する表面シート、不透液性を有する背面シートを備え、且つ粉末吸水剤と繊維基材の合計量に対する吸水剤の重量比αが０．３〜１．０を満足することを特徴とする吸収性物品。
【請求項８】
生理用ナプキンである請求項７記載の吸収性物品。
【請求項９】
大人用紙おむつである請求項７記載の吸収性物品。
【請求項１０】
請求項１〜３の何れか１項に記載の吸水剤の用途であって、相対湿度６０％以上／温度２５℃以上での該吸水剤の粉末としての使用方法。
【手続補正２】
【補正対象書類名】明細書
【補正対象項目名】００２３
【補正方法】変更
【補正の内容】
【００２３】
即ち、本発明の粉末の吸水剤は、上記の課題を解決するために、アクリル酸及び／又はその塩を主成分とする親水性単量体と、アクリル酸及びその塩の合計量に対して３０モル％以下の他の単量体とを共重合して得られた架橋構造を有する吸水性樹脂を主成分とする粉末の吸水剤であって、上記吸水性樹脂の固形分１００重量部は多価アルコール０．０１〜１０重量部にて、その樹脂表面が被覆ないしは架橋処理されており、且つ０．９重量％塩化ナトリウム水溶液中でのｐＨが５．５以下であり、０．９重量％塩化ナトリウム水溶液に対する２０ｇ／ｃｍ２での加圧下吸収倍率（６０分値）が２５ｇ／ｇ以上であることを特徴としている。
【手続補正３】
【補正対象書類名】明細書
【補正対象項目名】００２４
【補正方法】変更
【補正の内容】
【００２４】
本発明の粉末の吸水剤は、上記の課題を解決するために、上記吸水剤において、吸水剤が重量平均粒子径１００〜１０００μｍの粉末であり、且つ相対湿度６０％／温度２５℃／２時間放置でのブロッキング率が５０重量％以下であることを特徴としている。
【手続補正４】
【補正対象書類名】明細書
【補正対象項目名】００２５
【補正方法】変更
【補正の内容】
【００２５】
本発明の吸水剤は、上記の課題を解決するために、上記吸水剤において、（１）０．９重量％塩化ナトリウム水溶液に対する常圧吸水能（６０分値）が２５ｇ／ｇ以上、（２）０．９重量％塩化ナトリウム水溶液に対する５０ｇ／ｃｍ２での加圧下吸収倍率（６０分値）が２０ｇ／ｇ以上、（３）硫酸ナトリウム０．２重量％、塩化カリウム０．２重量％、塩化マグネシウム６水和物０．０５重量％、塩化カルシウム２水和物０．０２５重量％、燐酸二水素アンモニウム０．０８５重量％、及び燐酸水素二アンモニウム０．０１５重量％をイオン交換水に溶解させた人工尿に対する５０ｇ／ｃｍ２での加圧下吸収倍率（６０分値）が２５ｇ／ｇ以上、（４）残存モノマーが３００ｐｐｍ以下、の（１）〜（４）の全ての要件を満足することを特徴としている。
【手続補正５】
【補正対象書類名】明細書
【補正対象項目名】００２６
【補正方法】変更
【補正の内容】
【００２６】
本発明の粉末の吸水剤の製法方法は、上記の課題を解決するために、アクリル酸及び／又はその塩を主成分とする親水性単量体と、アクリル酸及びその塩の合計量に対して３０モル％以下の他の単量体とを共重合して得られた架橋構造を有する吸水性樹脂を主成分とする粉末の吸水剤の製造方法であって、０．９重量％塩化ナトリウム水溶液中でのｐＨが５．５以下の酸性吸水性樹脂の固形分１００重量部の表面近傍を、多価アルコール０．０１〜１０重量部を含む表面架橋剤組成物で被覆した後に加熱処理して架橋し、０．９重量％塩化ナトリウム水溶液に対する２０ｇ／ｃｍ2での加圧下吸収倍率（６０分値）を２５ｇ／ｇ以上とすることを特徴としている。
【手続補正６】
【補正対象書類名】明細書
【補正対象項目名】００２７
【補正方法】変更
【補正の内容】
【００２７】
本発明の吸水剤の製法方法は、上記の課題を解決するために、上記吸収剤の製造方法において、前記表面架橋剤組成物が多価アルコール以外にさらに、１００重量部の酸性吸水性樹脂固形分に対して２０重量部以下の水を含み、且つ前記加熱処理温度が８０℃以上であることを特徴としている。
【手続補正７】
【補正対象書類名】明細書
【補正対象項目名】００２８
【補正方法】変更
【補正の内容】
【００２８】
本発明の吸水剤の製法方法は、上記の課題を解決するために、上記吸収剤の製造方法において、表面架橋剤組成物が、多価アルコール以外の他の表面架橋剤をさらに含むことを特徴としている。
【手続補正８】
【補正対象書類名】明細書
【補正対象項目名】００２９
【補正方法】変更
【補正の内容】
【００２９】
本発明の吸収物品は、上記の課題を解決するために、上記吸水剤を含む吸収物品であって、吸水剤および繊維基材を含む吸収層、透液性を有する表面シート、不透液性を有する背面シートを備え、且つ吸水剤と繊維基材の合計量に対する吸水剤の重量比αが０．３〜１．０を満足することを特徴としている。
【手続補正９】
【補正対象書類名】明細書
【補正対象項目名】００３０
【補正方法】変更
【補正の内容】
【００３０】
本発明の吸収性物品は、上記の課題を解決するために、上記吸収性物品が生理用ナプキンであることを特徴としている。
【手続補正１０】
【補正対象書類名】明細書
【補正対象項目名】００３１
【補正方法】変更
【補正の内容】
【００３１】
本発明の吸収性物品は、上記の課題を解決するために、上記吸収性物品が大人用紙おむつであることを特徴としている。
【手続補正１１】
【補正対象書類名】明細書
【補正対象項目名】００３２
【補正方法】変更
【補正の内容】
【００３２】
本発明の吸水剤の使用は、上記の課題を解決するために、上記吸水剤を相対湿度６０％以上／温度２５℃以上で該吸水剤を粉末として使用することを特徴としている。